(57)【要約】【課題】  防水性を確保し、かつ操作性の向上を図るスイッチ装置およびそれを備えた時計を提供する。【解決手段】  本体ケース２の貫通孔１４内に配置される第１筒部１７、および本体ケース２の外部に配置される第２筒部１８を有する筒状部材１５と、第１筒部１７に挿入する軸部２２および第２筒部１８内に配置される頭部２３を有する操作部材１６と、第２筒部１８の内周面と頭部２３の外周面との間に設けられた防水部材２６と、筒状部材１５に設けられた通気孔２８および筒状部材１５の外面と本体ケース２の外面との間を通して、第２筒部１８内の空気を通気させる通気路３０と、を備えている。従って、防水部材２６によって第２筒部１８と頭部２３との間の防水性を確保し、通気路３０によって第２筒部１８内の空気を通気させて第２筒部１８内の空気圧をほぼ外気圧に保つことできるので、操作部材１６の操作性を向上させることができる。【選択図】        図２
2016070745.tif 000002
【特許請求の範囲】
【請求項１】
貫通孔を有するケースと、
前記ケースの前記貫通孔内に配置される小径の第１筒部、および前記ケースの外部に配置される大径の第２筒部を有する筒状部材と、
前記第１筒部内にスライド可能に挿入された軸部、および前記第２筒部内にスライド可能に配置された頭部を有する操作部材と、
前記第２筒部の内周面と前記頭部の外周面との間に設けられた防水部材と、
前記筒状部材に設けられた通気孔および前記筒状部材の外面と前記ケースの外面との間を通して、前記第２筒部内の空気と前記ケースの外部の空気とを通気させる通気路と、
を備えていることを特徴とするスイッチ装置。
【請求項２】
請求項１に記載のスイッチ装置において、前記空気が流れる箇所に位置する前記筒状部材の外面と前記ケースの外面とは、表面加工によって微細な凹凸が設けられていることを特徴とするスイッチ装置。
【請求項３】
請求項１または請求項２に記載のスイッチ装置において、前記空気が流れる箇所に位置する前記筒状部材の外面と前記ケースの外面との間には、空気が流通する通気フィルタが設けられていることを特徴とするスイッチ装置。
【請求項４】
請求項１〜請求項３のいずれかに記載のスイッチ装置において、前記筒状部材の前記第１筒部は、前記ケースの内部側に位置する内端部が前記ケースの内部に突出し、この突出した部分に抜止め部材が取り付けられていることを特徴とするスイッチ装置。
【請求項５】
請求項１〜請求項４のいずれかに記載のスイッチ装置において、前記筒状部材の前記第１筒部の外周面と前記ケースの前記貫通孔の内周面との間には、防水パッキンが設けられていることを特徴とするスイッチ装置。
【請求項６】
請求項１〜請求項３のいずれかに記載のスイッチ装置において、前記筒状部材の前記第１筒部は、その外周面と前記ケースの前記貫通孔の内周面との間に防水パッキンを介して圧入により前記貫通孔に嵌着されて固定されていることを特徴とするスイッチ装置。
【請求項７】
請求項１〜請求項６のいずれかに記載されたスイッチ装置を備えていることを特徴とする時計。
【発明の詳細な説明】
【技術分野】
【０００１】
この発明は、時計、携帯電話機、携帯端末機などの電子機器に用いられるスイッチ装置およびそれを備えた時計に関する。
【背景技術】
【０００２】
例えば、腕時計のスイッチ装置においては、特許文献１に記載されているように、腕時計ケースの取付孔に取付パイプを嵌め込み、この取付パイプに釦部材の軸部をスライド可能に挿入し、この取付パイプから外部に突出する釦部材の軸部およびこの軸部の外端部の頭部を防水シートで覆い、この防水シートを腕時計ケースの外面に固定部材によって取り付けることにより、防水性を図った構成のものが知られている。
【先行技術文献】
【特許文献】
【０００３】
【特許文献１】特開２００９−１３３８５９号公報
【０００４】
この種のスイッチ装置は、防水シートがウレタン樹脂やシリコーン樹脂などの軟質の合成樹脂で形成され、釦部材が押圧操作された際に、その押圧操作に応じて防水シートが弾性変形し、この防水シートの弾性変形に伴って釦部材がスライドすることにより、腕時計ケース内のスイッチ接点をスイッチ動作させるように構成されている。
【発明の概要】
【発明が解決しようとする課題】
【０００５】
しかしながら、このようなスイッチ装置では、防水シートの肉厚が厚いと、防水シートが弾性変形し難く、釦部材を押圧操作する際の押圧荷重が重くなるため、釦部材の操作性が低下するという問題がある。また、防水シートの肉厚が薄いと、防水シートが弾性変形し易くなるが、防水シートが破損し易くなるため、防水性を確保することが難しくなるという問題がある。さらに、防水シートが軟質の合成樹脂であるため、防水シートの肉厚が厚くても、また薄くても、劣化し易いという問題がある。
【０００６】
この発明が解決しようとする課題は、防水性を確保し、かつ操作性の向上を図ることができるスイッチ装置およびそれを備えた時計を提供することである。
【課題を解決するための手段】
【０００７】
この発明は、貫通孔を有するケースと、このケースの前記貫通孔内に配置される小径の第１筒部、および前記ケースの外部に配置される大径の第２筒部を有する筒状部材と、前記第１筒部内にスライド可能に挿入された軸部、および前記第２筒部内にスライド可能に配置された頭部を有する操作部材と、前記第２筒部の内周面と前記頭部の外周面との間に設けられた防水部材と、前記筒状部材に設けられた通気孔および前記筒状部材の外面と前記ケースの外面との間を通して、前記第２筒部内の空気と前記ケースの外部の空気とを通気させる通気路と、を備えていることを特徴とするスイッチ装置である。
【発明の効果】
【０００８】
この発明によれば、防水部材によって筒状部材の第２筒部の内周面と操作部材の頭部の外周面との間の防水性および気密性を確保することができる共に、通気路によって第２筒部内の空気とケースの外部の空気とを通気させることができるので、筒状部材の第２筒部内の空気圧を腕時計ケースの外部の気圧とほぼ同じに保つことができる。このため、防水部材によって防水性および気密性を確保しても、操作部材の操作性を向上させることができる。
【図面の簡単な説明】
【０００９】
【図１】この発明を腕時計に適用した第１実施形態を示した拡大正面図である。
【図２】図１に示された腕時計のＡ−Ａ矢視における要部を示した拡大断面図である。
【図３】図２に示されたスイッチ装置の要部を分解して示した拡大斜視図である。
【図４】図２に示されたスイッチ装置の筒状部材を示し、（ａ）はその拡大正面図、（ｂ）はそのＢ−Ｂ矢視における拡大断面図である。
【図５】図２に示されたスイッチ装置における通気路を示した要部の拡大断面図である。
【図６】この発明を腕時計に適用した第２実施形態を示した要部の拡大断面図である。
【図７】図６に示されたスイッチ装置における通気路を示した要部の拡大断面図である。
【発明を実施するための形態】
【００１０】
（第１実施形態）
以下、図１〜図５を参照して、この発明を腕時計に適用した第１実施形態について説明する。
この腕時計は、図１および図２に示すように、腕時計ケース１を備えている。この腕時計ケース１は、本体ケース２と第１外装ケース３と第２外装ケース４とによって構成されている。本体ケース２は、硬質の合成樹脂からなり、その内部に補強用の金属部材２ａが埋め込められた構成になっている。
【００１１】
第１外装ケース３は、図１〜図３に示すように、軟質の合成樹脂からなり、本体ケース２の外周に、これを覆って取り付けられるように構成されている。第２外装ケース４は、軟質の合成樹脂からなり、本体ケース２の上部外周および第１外装ケース３の上部外周に、これらを覆って取り付けられるように構成されている。
【００１２】
腕時計ケース１の上部開口部、つまり本体ケース２の上部開口部には、図２に示すように、時計ガラス５がパッキン５ａを介して取り付けられている。この場合、時計ガラス５の上面における外周縁は、第２外装ケース４によって覆われている。また、この腕時計ケース１の下部、つまり本体ケース２の下部には、裏蓋６が防水リング６ａを介して取り付けられている。
【００１３】
この腕時計ケース１の内部、つまり本体ケース２の内部には、図２に示すように、時計モジュール７が配置されている。時計モジュール７は、指針を駆動するための時計ムーブメントや、時刻などの情報を電気光学的に表示する表示パネルなど、時計機能に必要な各種の部品（いずれも図示せず）を備えている。
【００１４】
この場合、時計モジュール７と時計ガラス５との間には、図２に示すように、リング状の見切り部材８が設けられている。この見切り部材８は、その上面が外周側から内周側に向けて傾斜する傾斜面に形成され、この傾斜面に時字（図示せず）が円周方向に沿って等間隔で設けられた構成になっている。また、この見切り部材８と時計モジュール７との間には、その上方を指針が運針する第１文字板９と第２文字板１０とが上下に重なった状態で配置されている。
【００１５】
ところで、腕時計ケース１の１２時側と６時側との各側部には、図１に示すように、バンド取付部１１がそれぞれ外部に突出して設けられている。また、この腕時計ケース１の３時側の側部には、スイッチ装置１２が設けられており、この腕時計ケース１の２時側、４時側、８時側、および１０時側の各側部には、押釦スイッチ１３がそれぞれ設けられている。
【００１６】
スイッチ装置１２は、図２および図３に示すように、腕時計ケース１の本体ケース２に設けられた貫通孔１４に嵌め込まれた筒状部材１５と、この筒状部材１５にスライド可能に挿入されて腕時計ケース１の外部に突出する操作部材１６と、を備えている。この場合、貫通孔１４は、本体ケース２の内部側に小径孔部１４ａが形成され、外部側に大径孔部１４ｂが形成された構成になっている。
【００１７】
この大径孔部１４ｂの外端部には、図２および図３に示すように、座ぐり部１４ｃが形成されている。この場合、貫通孔の大径孔部１４ｂは、その軸方向の長さが小径孔部１４ａの軸方向の長さよりも長く、かつ座ぐり部１４ｃの軸方向の長さよりも長く形成されている。
【００１８】
筒状部材１５は、図２〜図４に示すように、本体ケース２の貫通孔１４内に配置される第１筒部１７と、本体ケース２の外部に配置されて第１外装ケース３から腕時計ケース１の外部に突出する第２筒部１８と、を有し、これらが金属や硬質の合成樹脂で一体に形成されている。第１筒部１７は、本体ケース２の貫通孔１４の小径孔部１４ａに挿入する小径筒部１７ａと、本体ケース２の貫通孔１４の大径孔部１４ｂに挿入する大径筒部１７ｂと、を有している。
【００１９】
この場合、小径筒部１７ａは、図２に示すように、その軸方向の長さが貫通孔１４の小径孔部１４ａの軸方向の長さよりも長く形成され、その内端部が本体ケース２内に突出するように構成されている。また、本体ケース２内に突出する小径筒部１７ａの内端部には、Ｅリングなどの抜止め部材１９が取り付けられている。これにより、小径筒部１７ａは、抜止め部材１９が本体ケース２の内周面に当接することにより、筒状部材１５が本体ケース２の外部に抜け出さないように構成されている。
【００２０】
また、大径筒部１７ｂは、図２に示すように、その軸方向の長さが貫通孔１４の大径孔部１４ｂの軸方向の長さと同じ長さに形成されている。これにより、大径筒部１７ｂは、貫通孔１４の大径孔部１４ｂ内に嵌着するように構成されている。また、この大径筒部１７ｂの外周面には、貫通孔１４の大径孔部１４ｂの内周面に圧接する複数の防水パッキン２０がそれぞれ環状に設けられている。この大径筒部１７ｂと小径筒部１７ａとの内部には、軸挿入孔１７ｃが軸方向に貫通して設けられている。
【００２１】
一方、第２筒部１８は、図２および図３に示すように、その外径が貫通孔１４の座ぐり部１４ｃの内径とほぼ同じ大きさで、第２筒部１８の内径が貫通孔１４の大径孔部１４ｂよりも大きく形成されている。この第２筒部１８は、その軸方向の長さが第１筒部１７の軸方向の長さとほぼ同じ長さに形成されている。
【００２２】
これにより、第２筒部１８は、図２〜図４に示すように、本体ケース２側に位置する内端部が貫通孔１４の座ぐり部１４ｃ内に配置された状態で、外端部が本体ケース２から第１外装ケース３の外部に突出するように構成されている。この場合、第２筒部１８は、その内径が筒状部材１５の大径筒部１７ｂの外径よりも大きく形成されている。
【００２３】
このため、第２筒部１８は、図２および図３に示すように、本体ケース２側に位置する第２筒部１８の内端部と第１筒部１７の大径筒部１７ｂの外端部とが連結部２１によって連結された構成になっている。これにより、第２筒部１８は、本体ケース２側に位置する内端部が貫通孔１４の座ぐり部１４ｃ内に配置された際に、連結部２１の外面が座ぐり部１４ｃの内面に当接するように構成されている。
【００２４】
これにより、筒状部材１５は、図２および図３に示すように、第１筒部１７の大径筒部１７ｂが本体ケース２の貫通孔１４の大径孔部１４ｂに嵌着された状態で、第１筒部１７の小径筒部１７ａの内端部に取り付けられた抜止め部材１９が本体ケース２の内周面に当接し、かつ第２筒部１８の連結部２１の外面が貫通孔１４の座ぐり部１４ｃの内面に当接して配置されることにより、本体ケース２の貫通孔１４内にその軸方向にガタツクことなく取り付けられるように構成されている。
【００２５】
一方、操作部材１６は、図２および図３に示すように、本体ケース２の貫通孔１４に嵌め込まれた筒状部材１５の第１筒部１７の軸挿入孔１７ｃにスライド可能に挿入される軸部２２と、この軸部２２の外端部に設けられて筒状部材１５の第２筒部１８内にスライド可能に配置される頭部２３と、を有している。
【００２６】
軸部２２は、図２および図３に示すように、その外径が第１筒部１７の軸挿入孔１７ｃの内径とほぼ同じ大きさで、軸方向の長さが第１筒部１７の軸方向の長さよりも長く形成されている。これにより、軸部２２は、第１筒部１７の軸挿入孔１７ｃに挿入された際に、その内端部が本体ケース２の内部に突出し、外端部が筒状部材１５の第２筒部１８内に突出するように構成されている。
【００２７】
この場合、本体ケース２の内部に突出した軸部２２の内端部には、図２および図３に示すように、Ｅリングなどの抜止め部材２４が取り付けられている。これにより、軸部２２は、抜止め部材２４が本体ケース２内に突出した第１筒部１７の小径筒部１７ａの内端部に当接することにより、本体ケース２の外部に抜け出さないように構成されている。
【００２８】
また、この軸部２２は、図２および図３に示すように、その内端部が本体ケース２内の時計モジュール７に設けられたスイッチ接点部７ａに接離可能に対応するように構成されている。これにより、軸部２２は、頭部２３の押圧操作に応じて内端部が本体ケース２内に突出してスイッチ接点部７ａを押圧することにより、スイッチ接点部７ａをスイッチ動作させるように構成されている。
【００２９】
さらに、軸部２２の外周には、図２および図３に示すように、複数の防水リング２５が環状に設けられている。これら複数の防水リング２５は、第１筒部１７の軸挿入孔１７ｃの内周面に摺動可能に圧接し、この状態で軸部２２のスライド動作に伴って第１筒部１７の軸挿入孔１７ｃの内周面に沿って摺動するように構成されている。
【００３０】
また、筒状部材１５の第２筒部１８内に突出した軸部２２の外端部には、図２および図３に示すように、頭部２３が一体に設けられている。この頭部２３は、全体がほぼ円筒状に形成され、筒状部材１５の第２筒部１８内にスライド可能に配置されるように構成されている。すなわち、この頭部２３は、その外径が筒状部材１５の第２筒部１８の内径と同じ大きさで、頭部２３の内径が第１筒部１７の大径筒部１７ｂの外径と同じか、それよりも少し大きく形成されている。
【００３１】
また、この頭部２３は、図２および図３に示すように、その軸方向の長さが筒状部材１５の第２筒部１８の軸方向の長さとほぼ同じ長さに形成されている。これにより、頭部２３は、軸部２２の抜止め部材２４が第１筒部１７の小径筒部１７ａの内端部に当接した際に、頭部２３の内端面が第２筒部１８の連結部２１から離れ、頭部２３の外端部が筒状部材１５の第２筒部１８から腕時計ケース１の外部に突出した状態で、筒状部材１５の第２筒部１８内にその軸方向に沿ってスライド可能に配置されるように構成されている。
【００３２】
この場合、頭部２３の外周面には、図２および図３に示すように、複数の防水部材２６が環状に設けられている。これら複数の防水部材２６は、それぞれリング状に形成され、筒状部材１５の第２筒部１８の内周面に摺動可能に圧接し、この状態で頭部２３のスライド動作に伴って筒状部材１５の第２筒部１８の内周面に沿って摺動するように構成されている。
【００３３】
また、この頭部２３内には、図２に示すように、コイルばね２７が軸部２２の外周に沿って配置されている。すなわち、このコイルばね２７は、その一端部が筒状部材１５の大径筒部１７ｂの外端部に弾接し、他端部が頭部２３の内端面に弾接し、この状態で頭部２３を本体ケース２の外部に向けて押し出す方向に付勢するように構成されている。
【００３４】
ところで、このスイッチ装置１２は、図２〜図５に示すように、筒状部材１５の連結部２１に設けられた複数の通気孔２８、および本体ケース２の外面と筒状部材１５の外面との間の隙間Ｓを通して、第２筒部１８内の空気と腕時計ケース１の外部の空気とを通気させる通気路３０を備えている。複数の通気孔２８は、第１筒部１７と第２筒部１８との境界部に設けられた連結部２１に第２筒部１８の内外に貫通して設けられている。
【００３５】
また、本体ケース２の外面と筒状部材１５の外面とは、表面加工によって微細な凹凸が設けられている。すなわち、この表面加工は、ヘアライン加工や梨地加工であり、本体ケース２の外面と筒状部材１５の外面とに微細なラインや微細な凹凸を形成する。これにより、本体ケース２の外面と筒状部材１５の外面との間には、図５に示すように、表面加工による微細な凹凸によって空気が流通する僅かな隙間Ｓが形成されている。
【００３６】
これにより、通気路３０は、図２および図５に示すように、操作部材１６の頭部２３が本体ケース２内に向けて押し込まれる際に、筒状部材１５の第２筒部１８と操作部材１６の頭部２３とで囲われた領域である第２筒部１８内の空気が、連結部２１の複数の通気孔２８から本体ケース２の外面と筒状部材１５の外面との間の僅かな隙間Ｓに送り込まれ、この送り込まれた空気が、本体ケース２の外面と筒状部材１５の外面との間の僅かな隙間Ｓを通して腕時計ケース１の外部に排出されるように構成されている。
【００３７】
また、この通気路３０は、図２および図５に示すように、操作部材１６の頭部２３がコイルばね２７のばね力によって本体ケース２の外部に向けて押し出される際に、腕時計ケース１の外部の空気が、本体ケース２の外面と筒状部材１５の外面との間の僅かな隙間Ｓに送り込まれ、この僅かな隙間Ｓを通って連結部２１の複数の通気孔２８に送られ、これら複数の通気孔２８から筒状部材１５の第２筒部１８と操作部材１６の頭部２３とで囲われた領域である第２筒部１８内に送り込まれるように構成されている。
【００３８】
次に、このような腕時計におけるスイッチ装置１２の作用について説明する。
このスイッチ装置１２は、通常の状態で、筒状部材１５の第２筒部１８と操作部材１６の頭部２３との内部に配置されたコイルばね２７のばね力によって、頭部２３が腕時計ケース１の外部に向けて押し出されている。
【００３９】
この状態では、本体ケース２の内部に突出している操作部材１６の軸部２２における内端部に設けられた抜止め部材２４が、本体ケース２内に突出した第１筒部１７の小径筒部１７ａの内端部に当接し、この状態で操作部材１６の頭部２３の内端部が筒状部材１５の第２筒部１８の連結部２１から離れた状態で、頭部２３の外端部が第２筒部１８から腕時計ケース１の外部に突出している。
【００４０】
これにより、操作部材１６の軸部２２の内端部が、時計モジュール７に設けられたスイッチ接点部７ａから離れ、スイッチ接点部７ａがオフ状態になっている。この状態で、操作部材１６の頭部２３をコイルばね２７のばね力に抗して押圧操作すると、操作部材１６の軸部２２が筒状部材１５の第１筒部１７の軸挿入孔１７ｃ内を本体ケース２内に向けてスライドする。
【００４１】
このときには、軸部２２の外周面に設けられた複数の防水リング２５が第１筒部１７の軸挿入孔１７ｃの内周面に圧接した状態で摺動する。同様に、頭部２３の外周面に設けられた複数の防水部材２６が筒状部材１５の第２筒部１８の内周面に圧接した状態で摺動する。このため、防水部材２６によって頭部２３の外周面と第２筒部１８の内周面との間から第２筒部１８内に、腕時計ケース１の外部の水や泥などの異物が、浸入することがなく、第２筒部１８内の防水性および気密性が図られる。
【００４２】
また、このときには、筒状部材１５の第２筒部１８と操作部材１６の頭部２３とで囲われた領域である第２筒部１８内の空気が、本体ケース２側に向けてスライドする頭部２３のスライドに応じて徐々に圧縮されて空気圧が高くなる。この圧縮された空気は、通気路３０を通して腕時計ケース１の外部に排出される。
【００４３】
すなわち、圧縮された空気は、連結部２１の複数の通気孔２８から本体ケース２の外面と筒状部材１５の外面との間の僅かな隙間Ｓに送り込まれ、この送り込まれた空気は、本体ケース２の外面と筒状部材１５の外面との間の僅かな隙間Ｓを通して、腕時計ケース１の外部に排出される。このため、筒状部材１５の第２筒部１８と操作部材１６の頭部２３とで囲われた領域である第２筒部１８内の空気圧は、頭部２３がスライド動作しても、腕時計ケース１の外部の気圧とほぼ同じに保たれる。
【００４４】
これにより、操作部材１６の頭部２３を押圧操作した際に、筒状部材１５の第２筒部１８と操作部材１６の頭部２３とで囲われた領域である第２筒部１８内の空気が圧縮されても、操作部材１６を円滑にかつ良好にスライドさせることができる。このときには、操作部材１６のスライドに伴って軸部２２の内端部が本体ケース２内に押し込まれ、この軸部２２の内端部によって時計モジュール７のスイッチ接点部７ａが押されてオン動作する。
【００４５】
一方、スイッチ接点部７ａが押されてオン動作した後は、筒状部材１５の第２筒部１８と操作部材１６の頭部２３との内部に配置されたコイルばね２７のばね力によって、頭部２３が腕時計ケース１の外部に向けて押し出される。このときにも、操作部材１６の軸部２２が、筒状部材１５の第１筒部１７の軸挿入孔１７ｃ内を、腕時計ケース１の外部に向けてスライドする。このときには、軸部２２の外周面に設けられた複数の防水リング２５が第１筒部１７の軸挿入孔１７ｃの内周面に圧接した状態で摺動する。
【００４６】
また、このときにも、頭部２３の外周面に設けられた複数の防水部材２６が筒状部材１５の第２筒部１８の内周面に圧接した状態で摺動する。これにより、防水部材２６によって頭部２３の外周面と第２筒部１８の内周面との間から第２筒部１８内に、腕時計ケース１の外部の水や泥などの異物が浸入することがなく、第２筒部１８内の防水性および気密性が図られる。
【００４７】
このときには、筒状部材１５の第２筒部１８と操作部材１６の頭部２３とで囲われた領域である第２筒部１８内の空気が、腕時計ケース１の外部に向けてスライドする頭部２３のスライドに応じて徐々に膨張して、空気圧が下がる。このように空気圧が徐々に下がる際には、腕時計ケース１の外部の空気が通気路３０を通して筒状部材１５の第２筒部１８に送り込まれる。
【００４８】
すなわち、腕時計ケース１の外部の空気が、本体ケース２の外面と筒状部材１５の外面との間の僅かな隙間Ｓに送り込まれ、この僅かな隙間Ｓを通って連結部２１の複数の通気孔２８に送られ、これら複数の通気孔２８から筒状部材１５の第２筒部１８内に送り込まれる。これにより、筒状部材１５の第２筒部１８と操作部材１６の頭部２３とで囲われた領域である第２筒部１８内の空気圧は、頭部２３がスライド動作しても、腕時計ケース１の外部の気圧とほぼ同じに保たれる。
【００４９】
このため、コイルばね２７のばね力によって操作部材１６が元の位置に戻る際に、筒状部材１５の第２筒部１８と操作部材１６の頭部２３とで囲われた領域である第２筒部１８内の空気が膨張して空気圧が下っても、操作部材１６を円滑にかつ良好にスライドさせることができる。このときには、操作部材１６のスライドに伴って軸部２２の内端部が時計モジュール７のスイッチ接点部７ａから離れ、スイッチ接点部７ａがオフ状態になる。
【００５０】
このように、この腕時計のスイッチ装置１２によれば、本体ケース２の貫通孔１４内に配置される第１筒部１７、および本体ケース２の外部に配置される第２筒部１８を有する筒状部材１５と、第１筒部１７に挿入された軸部２２、および第２筒部１８内に配置された頭部２３を有する操作部材１６と、第２筒部１８の内周面と頭部２３の外周面との間に設けられた防水部材２６と、筒状部材１５の連結部２１に設けられた通気孔２８および筒状部材１５の外面と本体ケース２の外面との間の隙間Ｓを通して、第２筒部１８内の空気と本体ケース２の外部の空気とを通気させる通気路３０と、を備えているので、防水性を確保し、かつ操作性の向上を図ることができる。
【００５１】
すなわち、この腕時計のスイッチ装置１２では、防水部材２６によって筒状部材１５の第２筒部１８の内周面と操作部材１６の頭部２３の外周面との間の防水性および気密性を確保することができる共に、通気路３０によって第２筒部１８内の空気と本体ケース２の外部の空気とを通気させることができるので、頭部２３と第２筒部１８とで囲われた第２筒部１８内の空気圧を腕時計ケース１の外部の気圧とほぼ同じに保つことができ、このため防水部材２６によって防水性および気密性を確保しても、操作部材１６の操作性を向上させることができる。
【００５２】
この場合、空気が流れる箇所に位置する筒状部材１５の外面、つまり筒状部材１５の連結部２１および第２筒部１８の各外面と、これに対応する本体ケース２の外面とは、表面加工によって微細な凹凸が設けられていることにより、この微細な凹凸によって筒状部材１５の外面と本体ケース２の外面との間に僅かな隙間Ｓを形成することができる。このため、この僅かな隙間Ｓを通して空気を通気させることができる。
【００５３】
この場合、筒状部材１５の外面と本体ケース２の外面との間の隙間Ｓは、表面加工による微細な凹凸によって僅かな隙間に形成されているので、空気を通すことができても、水や泥などの異物を通すことがないので、防水性および防塵性を確保することができる。
【００５４】
これにより、このスイッチ装置１２では、操作部材１６の頭部２３を押圧操作する際に、第２筒部１８内の空気が頭部２３によって圧縮されても、この圧縮された空気を、連結部２１の複数の通気孔２８から本体ケース２の外面と筒状部材１５の外面との間の僅かな隙間Ｓに送り込み、この僅かな隙間Ｓを通して腕時計ケース１の外部に排出することができる。
【００５５】
このため、このスイッチ装置１２では、操作部材１６の頭部２３を押圧操作する際に、頭部２３がスライド動作しても、筒状部材１５の第２筒部１８と操作部材１６の頭部２３とで囲われた領域である第２筒部１８内の空気圧を、腕時計ケース１の外部の気圧とほぼ同じに保つことができるので、操作部材１６を円滑にかつ良好にスライドさせることができる。
【００５６】
また、このスイッチ装置１２では、操作部材１６が腕時計ケース１の外部に向けて押し出される際に、第２筒部１８内の空気が頭部２３のスライド動作に伴って膨張して空気圧が下っても、腕時計ケース１の外部の空気を本体ケース２の外面と筒状部材１５の外面との間の僅かな隙間Ｓに取り込み、この僅かな隙間Ｓを通って連結部２１の複数の通気孔２８から第２筒部１８内に送り込むことができる。
【００５７】
このため、このスイッチ装置１２では、操作部材１６が腕時計ケース１の外部に向けて押し出される際に、頭部２３がスライド動作しても、筒状部材１５の第２筒部１８と操作部材１６の頭部２３とで囲われた領域である第２筒部１８内の空気圧を、腕時計ケース１の外部の気圧とほぼ同じに保つことができるので、操作部材１６を円滑にかつ良好にスライドさせることができる。
【００５８】
また、このスイッチ装置１２では、本体ケース２の内部側に位置する筒状部材１５の第１筒部１７の内端部が本体ケース２の内部に突出し、この突出した部分に抜止め部材１９が取り付けられているので、この抜止め部材１９を本体ケース２の内周面に当接させることができる。これにより、筒状部材１５が本体ケース２の貫通孔１４から本体ケース２の外部に抜け出すのを阻止することができるので、筒状部材１５を本体ケース２の貫通孔１４に確実に取り付けることができる。
【００５９】
この場合、筒状部材１５の第１筒部１７の外周面と本体ケース２の貫通孔１４の内周面との間には、防水パッキン２０が設けられていることにより、この防水パッキン２０によって第１筒部１７の外周面と本体ケース２の貫通孔１４の内周面との間の防水性および気密性を確保することができ、これにより第１筒部１７の外周面と本体ケース２の貫通孔１４の内周面との間から本体ケース２内に水や空気が浸入するのを確実に防ぐことができる。
【００６０】
（第２実施形態）
次に、図６および図７を参照して、この発明を腕時計に適用した第２実施形態について説明する。なお、図１〜図５に示された第１実施形態と同一部分には同一符号を付して説明する。
この腕時計は、図６に示すように、スイッチ装置４０が第１実施形態と異なる構成であり、これ以外は第１実施形態とほぼ同じ構成になっている。
【００６１】
このスイッチ装置４０は、図６に示すように、腕時計ケース１の本体ケース２に設けられた貫通孔４１に嵌め込まれた筒状部材４２と、この筒状部材４２にスライド可能に挿入されて腕時計ケース１の外部に突出する操作部材４３と、を備えている。この場合、貫通孔４１は、本体ケース２の内部側に位置する小径孔部４１ａと、本体ケース２の外部側に位置する大径孔部４１ｂとを有している。小径孔部４１ａは、その軸方向の長さが大径孔部４１ｂの軸方向の長さよりも長く形成されている。
【００６２】
また、筒状部材４２は、図６に示すように、貫通孔４１の大径孔部４１ｂに配置される小径の第１筒部４４と、本体ケース２の外面から第１外装ケース３の外部に突出する大径の第２筒部４５とを有している。第１筒部４４は、防水パッキン４６を介して貫通孔４１の大径孔部４１ｂに圧入によって嵌め込まれるように構成されている。
【００６３】
すなわち、この第１筒部４４は、図６に示すように、その外径が貫通孔４１の大径孔部４１ｂの内径よりも小さく形成され、かつ軸方向の長さが大径孔部４１ｂの軸方向の長さと同じ長さに形成されている。また、この第１筒部４４は、その内径が貫通孔４１の小径孔部４１ａの内径とほぼ同じ大きさに形成されている。これにより、第１筒部４４は、その外周に防水パッキン４６が配置され、この状態で大径孔部４１ｂ内に圧入によって嵌着されて固定されている。
【００６４】
第２筒部４５は、第１実施形態と同様、その外径が貫通孔４１の大径孔部４１ｂの内径よりも大きく、かつ内径も貫通孔４１の大径孔部４１ｂの内径よりも大きく形成されている。この第２筒部４５は、その軸方向の長さが第１筒部４４の軸方向の長さよりも長く形成されている。これにより、第２筒部４５は、本体ケース２側に位置する内端面が本体ケース２の外面に接近した状態で、外端部が第１外装ケース３の外部に突出するように構成されている。
【００６５】
この場合、第２筒部４５は、図６に示すように、本体ケース２側に位置する内端部と第１筒部４４の外端部とが連結部４７によって連結された構成になっている。これにより、筒状部材４２は、第１筒部４４が貫通孔４１の大径孔部４１ｂに防水パッキン４６を介して嵌着された際に、第２筒部４５の連結部４７が大径孔部４１ｂの内面に接近した状態で、外端部が第１外装ケース３の外部に突出するように構成されている。
【００６６】
一方、操作部材４３は、図６に示すように、本体ケース２の貫通孔４１に取り付けられた筒状部材４２の第１筒部４４の内部と貫通孔４１の小径孔部４１ａ内とにスライド可能に挿入される軸部４８と、この軸部４８の外端部に設けられて筒状部材４２の第２筒部４５内にスライド可能に配置される頭部４９と、を有している。
【００６７】
軸部４８は、図６に示すように、その内端部が本体ケース２の内部に突出し、外端部が筒状部材４２の第２筒部４５内に突出するように構成されている。この場合、本体ケース２の内部に突出した軸部４８の内端部には、第１実施形態と同様、Ｅリングなどの抜止め部材２４が取り付けられている。これにより、軸部４８は、抜止め部材２４が本体ケース２内の内周面に当接することにより、本体ケース２の外部に抜け出さないように構成されている。
【００６８】
また、この軸部４８の内端部は、図６に示すように、本体ケース２内の時計モジュール７に設けられたスイッチ接点部７ａに接離可能に対応している。この場合にも、軸部４８の外周には、第１実施形態と同様、複数の防水リング２５が環状に設けられている。さらに、この軸部４８の外端部には、頭部４９が一体に設けられている。
【００６９】
頭部４９は、図６に示すように、全体がほぼ円板状に形成され、筒状部材４２の第２筒部４５内にスライド可能に配置されるように構成されている。すなわち、この頭部４９は、その外径が第２筒部４５の内径と同じ大きさで、その軸方向の長さが筒状部材４２の第２筒部４５の軸方向の長さとほぼ同じ長さに形成されている。
【００７０】
これにより、頭部４９は、図６に示すように、軸部４８の抜止め部材２４が本体ケース２の内周面に当接した際に、頭部４９の内端面が第２筒部４５の連結部４７から離れ、頭部４９の外端部が筒状部材４２の第２筒部４５から腕時計ケース１の外部に突出した状態で、筒状部材４２の第２筒部４５内にその軸方向に沿ってスライド可能に配置されている。
【００７１】
この場合にも、頭部４９の外周面には、図６に示すように、防水部材５０が環状に設けられている。この防水部材５０は、第１実施形態と同様、それぞれリング状に形成され、筒状部材４２の第２筒部４５の内周面に摺動可能に圧接し、この状態で頭部４９のスライド動作に伴って筒状部材４２の第２筒部４５の内周面に沿って摺動するように構成されている。
【００７２】
また、この頭部４９の内部側には、図６に示すように、コイルばね５１が軸部４８の外周に沿って配置されている。すなわち、このコイルばね５１は、その一端部が筒状部材４２の第１筒部４４の外端部に弾接し、他端部が頭部４９の内端面に弾接し、この状態で頭部４９を本体ケース２の外部に向けて押し出す方向に付勢するように構成されている。
【００７３】
ところで、このスイッチ装置４０は、図６および図７に示すように、筒状部材４２の連結部４７に設けられた複数の通気孔５２、および本体ケース２の外面と筒状部材４２の外面との間に設けられた通気フィルタ５３を通して、第２筒部４５内の空気と腕時計ケース１の外部の空気とを通気させる通気路５４を備えている。
【００７４】
複数の通気孔５２は、第１実施形態と同様、第１筒部４４と第２筒部４５との境界部に設けられた連結部４７に第２筒部４５の内外に貫通して設けられている。通気フィルタ５３は、空気などの気体のみを通過し、水などの液体を通過させない構成になっている。この通気フィルタ５３は、図７に示すように、筒状部材４２の外面、つまり第２筒部４５の連結部４７の外面とこれに対応する本体ケース２の外面との間に設けられている。
【００７５】
これにより、通気路５４は、図６および図７に示すように、操作部材４３の頭部４９が本体ケース２内に向けて押し込まれる際に、筒状部材４２の第２筒部４５と操作部材４３の頭部４９とで囲われた領域である第２筒部４５内の空気が、連結部４７の複数の通気孔５２から本体ケース２の外面と筒状部材４２の外面との間の通気フィルタ５３に送り込まれ、この送り込まれた空気が、通気フィルタ５３を通して腕時計ケース１の外部に排出されるように構成されている。
【００７６】
また、この通気路５４は、図６および図７に示すように、操作部材４３の頭部４９が本体ケース２の外部に向けて押し出される際に、腕時計ケース１の外部の空気が、本体ケース２の外面と筒状部材４２の外面との間の通気フィルタ５３に送り込まれ、この通気フィルタ５３を通って連結部４７の複数の通気孔５２に送られ、これら複数の通気孔５２から第２筒部４５と頭部４９とで囲われた領域である第２筒部４５内に送り込まれるように構成されている。
【００７７】
また、本体ケース２の下部には、図６および図７に示すように、補助通気孔５５が設けられている。この補助通気孔５５は、その一端部である内端部が通気フィルタ５３に対面し、他端部である外端部が裏蓋６の外周面に対面した状態で、本体ケース２の下部に設けられている。
【００７８】
この補助通気孔５５は、図６および図７に示すように、第２筒部４５内の空気が通気孔５２から通気フィルタ５３を通して腕時計ケース１の外部に排出される際に、一部の空気を裏蓋６の外周面側に導いて、裏蓋６の外周面側から腕時計ケース１の外部に排出するように構成されている。
【００７９】
また、この補助通気孔５５は、図６および図７に示すように、腕時計ケース１の外部の空気を通気フィルタ５３に取り込む際に、一部の空気を裏蓋６の外周面側からも取り込み、この取り込んだ空気を通気フィルタ５３に送り込み、この送り込まれた空気を通気孔５２から第２筒部４５内に送り込むように構成されている。
【００８０】
このような腕時計のスイッチ装置４０によれば、第２筒部４５の内周面と頭部４９の外周面との間に設けられた防水部材５０と、筒状部材４２の連結部４７に設けられた通気孔５２および筒状部材４２の外面と本体ケース２の外面との間に設けられた通気フィルタ５３を通して、第２筒部４５内の空気と本体ケース２の外部の空気とを通気させる通気路５４と、を備えているので、第１実施形態と同様、防水性を確保し、かつ操作性の向上を図ることができる。
【００８１】
すなわち、この第２実施形態のスイッチ装置４０においても、防水部材５０によって筒状部材４２の第２筒部４５の内周面と操作部材４３の頭部４９の外周面との間の防水性および気密性を確保することができる共に、通気路５４によって第２筒部４５内の空気と本体ケース２の外部の空気とを通気させることができるので、頭部４９と第２筒部４５とで囲われた領域である第２筒部４５内の空気圧を腕時計ケース１の外部の気圧とほぼ同じに保つことができ、このため防水部材５０によって防水性および気密性を確保しても、操作部材４３の操作性を向上させることができる。
【００８２】
この場合、空気が流れる箇所に位置する筒状部材４２の外面、つまり筒状部材４２の連結部４７の外面とこれに対応する本体ケース２の外面との間には、空気が流通する通気フィルタ５３が設けられていることにより、この通気フィルタ５３によって空気を通気させることができ、水や泥などの異物を通すことがないので、防水性および防塵性を確保することができる。
【００８３】
これにより、このスイッチ装置４０では、操作部材４３の頭部４９を押圧操作する際に、第２筒部４５内の空気が頭部４９によって圧縮されても、この圧縮された空気を、連結部４７の複数の通気孔５２から本体ケース２の外面と筒状部材４２の外面との間の通気フィルタ５３に送り込み、この通気フィルタ５３を通して腕時計ケース１の外部に排出することができる。
【００８４】
このため、このスイッチ装置４０においても、第１実施形態と同様、操作部材４３の頭部４９を押圧操作する際に、頭部４９がスライド動作しても、筒状部材４２の第２筒部４５と操作部材４３の頭部４９とで囲われた領域である第２筒部４５内の空気圧を、腕時計ケース１の外部の気圧とほぼ同じに保つことができるので、操作部材４３を円滑にかつ良好にスライドさせることができる。
【００８５】
また、このスイッチ装置４０では、操作部材４３が腕時計ケース１の外部に向けて押し出される際に、第２筒部４５内の空気が頭部４９のスライド動作に伴って膨張して空気圧が下っても、腕時計ケース１の外部の空気を本体ケース２の外面と筒状部材４２の外面との間の通気フィルタ５３に取り込み、この通気フィルタ５３を通って連結部４７の複数の通気孔５２から第２筒部４５内に送り込むことができる。
【００８６】
このため、このスイッチ装置４０においても、第１実施形態と同様、操作部材４３が腕時計ケース１の外部に向けて押し出される際に、頭部４９がスライド動作しても、筒状部材４２の第２筒部４５と操作部材４３の頭部４９とで囲われた領域内である第２筒部４５内の空気圧を、腕時計ケース１の外部の気圧とほぼ同じに保つことができるので、操作部材４３を円滑にかつ良好にスライドさせることができる。
【００８７】
また、このスイッチ装置４０では、筒状部材４２の第２筒部４５内に仮に水などの液体が浸入しても、その浸入した水などの液体を通気フィルタ５３の毛細管現象によって腕時計ケース１の外部に排出することができる。このため、筒状部材４２の第２筒部４５内に水などの液体が溜まることがないので、防錆効果があるほか、操作部材４３の操作性を確保することができ、これにより操作部材４３を良好にかつ円滑に操作させることができる。
【００８８】
さらに、このスイッチ装置４０では、本体ケース２の下部に、一端部である内端部が通気フィルタ５３に対面し、他端部である外端部が裏蓋６の外周面に対面する補助通気孔５５が設けられているので、この補助通気孔５５を通して第２筒部４５内の空気の一部を腕時計ケース１の外部に排出でき、また腕時計ケース１の外部の空気の一部を第２筒部４５内に送り込むことができ、これにより第２筒部４５内の空気圧を腕時計ケース１の外部の気圧とほぼ同じに保ち、操作部材４３の操作性の向上を図ることができる。
【００８９】
すなわち、このスイッチ装置４０では、操作部材４３の頭部４９を押圧操作して、第２筒部４５内の空気を、連結部４７の複数の通気孔５２から本体ケース２の外面と筒状部材４２の外面との間の通気フィルタ５３に送り込み、この通気フィルタ５３を通して腕時計ケース１の外部に排出する際に、一部の空気を裏蓋６の外周面側に導いて、裏蓋６の外周面側から腕時計ケース１の外部に排出することができる。
【００９０】
このため、このスイッチ装置４０では、操作部材４３の頭部４９を押圧操作する際に、第２筒部４５内の空気を、第１実施形態の場合よりも、速やかに排出することができるので、頭部４９がスライド動作しても、筒状部材４２の第２筒部４５と操作部材４３の頭部４９とで囲われた領域である第２筒部４５内の空気圧を、速やかに腕時計ケース１の外部の気圧とほぼ同じ状態にすることができるので、より一層、操作部材４３を円滑にかつ良好にスライドさせることができる。
【００９１】
また、このスイッチ装置４０では、操作部材４３が腕時計ケース１の外部に向けて押し出されて、腕時計ケース１の外部の空気を本体ケース２の外面と筒状部材４２の外面との間の通気フィルタ５３に取り込み、この通気フィルタ５３を通って連結部４７の複数の通気孔５２から第２筒部４５内に送り込む際に、一部の空気を裏蓋６の外周面側から取り込み、この取り込んだ空気を通気孔５２から第２筒部４５内に送り込むことができる。
【００９２】
このため、このスイッチ装置４０では、操作部材４３が腕時計ケース１の外部に向けて押し出される際に、腕時計ケース１の外部の空気を、第１実施形態の場合よりも、速やかに第２筒部４５内に送り込むことができるので、頭部４９がスライド動作しても、筒状部材４２の第２筒部４５と操作部材４３の頭部４９とで囲われた領域である第２筒部４５内の空気圧を、速やかに腕時計ケース１の外部の気圧とほぼ同じ状態にすることができるので、より一層、操作部材４３を円滑にかつ良好にスライドさせることができる。
【００９３】
さらに、このスイッチ装置４０では、筒状部材４２の第１筒部４４が、その外周面と本体ケース２の貫通孔４１の内周面との間に防水パッキン４６を介して圧入により貫通孔４１に嵌着されて固定されているので、第１実施形態の筒状部材１５よりも、少ない部品点数で、簡単にかつ容易に取り付けることができる。
【００９４】
すなわち、筒状部材４２は、第１筒部４４の外周面と本体ケース２の貫通孔４１の大径孔部４１ｂの内周面との間に防水パッキン４６を配置し、この状態で第１筒部４４を貫通孔４１の大径孔部４１ｂに圧入により嵌着するだけで、簡単にかつ確実に取り付けることができる。
【００９５】
なお、上述した第２実施形態では、筒状部材４２の第１筒部４４を貫通孔４１の大径孔部４１ｂに防水パッキン４６を介して圧入によって嵌着させた構成である場合について述べたが、これに限らず、第１実施形態と同じ構成であっても良い。また、通気フィルタ５３は、第１実施形態における本体ケース２の外面と筒状部材１５の外面との間の僅かな隙間Ｓに配置した構成であっても良い。
【００９６】
また、上述した第２実施形態では、本体ケース２の下部に補助通気孔５５を設けた場合について述べたが、必ずしも補助通気孔５５を設ける必要はない。
【００９７】
また、上述した第１、第２の各実施形態およびその各変形例のスイッチ装置の構成は、腕時計に設けられた各押釦スイッチ１３を含む全てのスイッチに適用しても良く、一部のスイッチに適用しても良い。
【００９８】
さらに、上述した第１、第２の各実施形態およびその各変形例では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、例えば携帯電話機や携帯情報端末機などの電子機器にも広く適用することができる。
【００９９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１００】
（付記）
請求項１に記載の発明は、貫通孔を有するケースと、前記ケースの前記貫通孔内に配置される小径の第１筒部、および前記ケースの外部に配置される大径の第２筒部を有する筒状部材と、前記第１筒部内にスライド可能に挿入された軸部、および前記第２筒部内にスライド可能に配置された頭部を有する操作部材と、前記第２筒部の内周面と前記頭部の外周面との間に設けられた防水部材と、前記筒状部材に設けられた通気孔および前記筒状部材の外面と前記ケースの外面との間を通して、前記第２筒部内の空気と前記ケースの外部の空気とを通気させる通気路と、を備えていることを特徴とするスイッチ装置である。
【０１０１】
請求項２に記載の発明は、請求項１に記載のスイッチ装置において、前記空気が流れる箇所に位置する前記筒状部材の外面と前記ケースの外面とは、表面加工によって微細な凹凸が設けられていることを特徴とするスイッチ装置である。
【０１０２】
請求項３に記載の発明は、請求項１または請求項２に記載のスイッチ装置において、前記空気が流れる箇所に位置する前記筒状部材の外面と前記ケースの外面との間には、空気が流通する通気フィルタが設けられていることを特徴とするスイッチ装置である。
【０１０３】
請求項４に記載の発明は、請求項１〜請求項３のいずれかに記載のスイッチ装置において、前記筒状部材の前記第１筒部は、前記ケースの内部側に位置する内端部が前記ケースの内部に突出し、この突出した部分に抜止め部材が取り付けられていることを特徴とするスイッチ装置である。
【０１０４】
請求項５に記載の発明は、請求項１〜請求項４のいずれかに記載のスイッチ装置において、前記筒状部材の前記第１筒部の外周面と前記ケースの前記貫通孔の内周面との間には、防水パッキンが設けられていることを特徴とするスイッチ装置である。
【０１０５】
請求項６に記載の発明は、請求項１〜請求項３のいずれかに記載のスイッチ装置において、前記筒状部材の前記第１筒部は、その外周面と前記ケースの前記貫通孔の内周面との間に防水パッキンを介して圧入により前記貫通孔に嵌着されて固定されていることを特徴とするスイッチ装置である。
【０１０６】
請求項７に記載の発明は、請求項１〜請求項６のいずれかに記載されたスイッチ装置を備えていることを特徴とする時計である。
【符号の説明】
【０１０７】
１  腕時計ケース
２  本体ケース
３  第１外装ケース
４  第２外装ケース
７  時計モジュール
７ａ  スイッチ接点部
１２，４０  スイッチ装置
１４、４１  貫通孔
１５、４２  筒状部材
１６、４３  操作部材
１７、４４  第１筒部
１８、４５  第２筒部
１９  抜止め部材
２０、４６  防水パッキン
２１、４７  連結部
２２、４８  軸部
２３、４９  頭部
２６、５０  防水部材
２７、５１  コイルばね
２８、５２  通気孔
３０、５４  通気路
５３  通気フィルタ
【図１】
2016070745.tif 000003
【図２】
2016070745.tif 000004
【図３】
2016070745.tif 000005
【図４】
2016070745.tif 000006
【図５】
2016070745.tif 000007
【図６】
2016070745.tif 000008
【図７】
2016070745.tif 000009
【手続補正書】
【提出日】平成27年8月25日(2015.8.25)
【手続補正１】
【補正対象書類名】明細書
【補正対象項目名】００５３
【補正方法】変更
【補正の内容】
【００５３】
この場合、筒状部材１５の外面と本体ケース２の外面との間の隙間Ｓは、表面加工による微細な凹凸によって僅かな隙間に形成されているので、空気を通すことができても、泥などの異物を通すことがないので、防塵性を確保することができる。
【手続補正２】
【補正対象書類名】明細書
【補正対象項目名】００７４
【補正方法】変更
【補正の内容】
【００７４】
複数の通気孔５２は、第１実施形態と同様、第１筒部４４と第２筒部４５との境界部に設けられた連結部４７に第２筒部４５の内外に貫通して設けられている。通気フィルタ５３は、空気や水などの気体と液体を通過し、泥などの異物を通過させない構成になっている。この通気フィルタ５３は、図７に示すように、筒状部材４２の外面、つまり第２筒部４５の連結部４７の外面とこれに対応する本体ケース２の外面との間に設けられている。
【手続補正３】
【補正対象書類名】明細書
【補正対象項目名】００８２
【補正方法】変更
【補正の内容】
【００８２】
この場合、空気が流れる箇所に位置する筒状部材４２の外面、つまり筒状部材４２の連結部４７の外面とこれに対応する本体ケース２の外面との間には、空気が流通する通気フィルタ５３が設けられていることにより、この通気フィルタ５３によって空気を通気させることができ、泥などの異物を通すことがないので、防塵性を確保することができる。